(57)【特許請求の範囲】
【請求項１】
上下方向に伸長する支柱と、
少なくともその底面において、前記支柱に貫通させるための貫通孔が形成された複数の
逆円錐台型の鉢状体である植木鉢と、
前記支柱を貫通する筒形状を有し、前記植木鉢を所定の上下間隔をもって前記支柱に積
層させるため、上段及び下段で隣り合う前記植木鉢の間に配置されるスペーサと、を備え
、
前記植木鉢及び前記スペーサを前記支柱に通すことで、前記支柱と前記植木鉢と前記ス
ペーサとを一体化して用い、
前記植木鉢の底面には、その上面に前記貫通孔が形成されると共に、前記支柱及び前記
スペーサを通すための中空を有した筒状凸部が形成され、
当該筒状凸部には、前記中空に差し込まれる前記スペーサの一定以上の侵入を阻止する
ための係止部が形成され、
前記スペーサは、前記筒状凸部の中空に下方から差し込まれて、前記植木鉢と前記スペ
ーサとが一体嵌合し、
前記筒状凸部の上面の高さ位置は、前記植木鉢の高さ位置より低くなる、ことを特徴と
する多段積層用の飾り鉢ユニット。
【請求項２】
前記支柱は、その水平断面が円形状を有し、
前記植木鉢は、前記支柱を中心として自由にその方向を回転できる、ことを特徴とする
請求項１記載の多段積層用の飾り鉢ユニット。
【請求項３】
前記植木鉢は、その底面側において一定量の貯水ができる貯水部と、その側面において
前記貯水部を超える量の水を下方に排水するための排水口と、を備え、
前記排水口の高さ位置は、前記筒状凸部の高さ位置より低くなる、ことを特徴とする請
求項１記載の多段積層用の飾り鉢ユニット。
【請求項４】
組み立てられた状態で前記支柱を貫通する筒形状を有し、上段及び下段で隣り合う前記
植木鉢の上下間隔を調整するため、前記支柱の側面方向から取り付け可能なアタッチメン
ト方式のスペーサをさらに備える、ことを特徴とする請求項１乃至３のいずれか一項に記
載の多段積層用の飾り鉢ユニット。
【請求項５】
前記植木鉢は、鉢状体を左右方向に２分割した形状を有し、前記支柱の側面方向から取
り付け可能なアタッチメント方式の植木鉢となる、ことを特徴とする請求項１乃至４のい
ずれか一項に記載の多段積層用の飾り鉢ユニット。
【発明の詳細な説明】
【技術分野】
【０００１】
本発明は、複数の植木鉢を、上下方向に伸長する支柱を用いて上下方向に積層できるよ
うにした多段積層用の飾り鉢ユニットに関する。                                    
【背景技術】
【０００２】
近年、屋外緑化のみでなく、建物や構築物の屋内に植物を設置する屋内緑化が盛んにな
ってきている。屋内緑化による効果は様々であり、緑に囲まれた空間にすることによりリ
ラックス感の向上、屋内環境のアメニティの向上、癒し効果などが生じる。また、これら
以外にも、空気の浄化効果、冬季の空気乾燥に対する天然の加湿などの効果を有する。  
【０００３】
従来の屋内緑化の手法として、一般的に見られるのがプランタを利用したものであり、
このプランタは通常移動ができるために様々な場所に設置ができる。また、施工性の良い
規格化されたシステムコンテナなどを用いて屋内緑化する手法も広く用いられている。  
【０００４】
ところで、複数の植木鉢（ポット）を上下方向に組み合わせて、その植木鉢内に植物を
植えて育てるシステムとして、例えば、植木鉢の中に、支柱を設け、その上部に植木鉢受
け皿を取り付けて、植木鉢を積重した立体植木鉢が開示されている（例えば、特許文献１
参照）。また、貯水箱と多段型植木鉢とを備えた簡単な構造で、かつ、見栄えの良い立体
型植栽具も開示されている（例えば、特許文献２参照）。                            
【先行技術文献】
【特許文献】
【０００５】
【特許文献１】特開２００４−１２１１９９号公報
【特許文献２】実用新案登録第３１６８９５４号
【発明の概要】
【発明が解決しようとする課題】
【０００６】
しかしながら、上記従来の緑化装置には、デザインの自由度は高いが施工性が悪い、逆 
に、施工性は良いがデザインの自由度は低い、給水管理に手間を要するなどの未だに多く
の問題がある。従って、施工性・作業性が良く、給水管理が容易であり、且つデザインの
自由度・ディスプレイ性の高い緑化装置の構造に関しては未だ多くの改善の余地がある。
【０００７】
また、広いスペースを要することなく数多くの植物を屋内などの様々な空間に配置でき
、且つ植物の存在感のある景観を即席で創出できる全く新しいタイプの屋内緑化装置の出
現も望まれている。                                                              
【０００８】
本発明は、上記課題に鑑みてなされたものであり、広いスペースを要することなく数多
くの植物を屋内などの様々な空間に配置でき、施工性・作業性が良く、且つデザインの自
由度・ディスプレイ性の高い新しいタイプの多段積層用の飾り鉢ユニットを提供すること
を目的とする。                                                                  
【課題を解決するための手段】
【０００９】
上記目的を達成するために本発明は、上下方向に伸長する支柱と、少なくともその底面
において、前記支柱に貫通させるための貫通孔が形成された複数の逆円錐台型の鉢状体で
ある植木鉢と、前記支柱を貫通する筒形状を有し、前記植木鉢を所定の上下間隔をもって
前記支柱に積層させるため、上段及び下段で隣り合う前記植木鉢の間に配置されるスペー
サと、を備え、前記植木鉢及び前記スペーサを前記支柱に通すことで、前記支柱と前記植
木鉢と前記スペーサとを一体化して用い、前記植木鉢の底面には、その上面に前記貫通孔
が形成されると共に、前記支柱及び前記スペーサを通すための中空を有した筒状凸部が形
成され、当該筒状凸部には、前記中空に差し込まれる前記スペーサの一定以上の侵入を阻
止するための係止部が形成され、前記スペーサは、前記筒状凸部の中空に下方から差し込
まれて、前記植木鉢と前記スペーサとが一体嵌合し、前記筒状凸部の上面の高さ位置は、
前記植木鉢の高さ位置より低くなることを特徴とする多段積層用の飾り鉢ユニットである
。
【００１１】
また、この多段積層用の飾り鉢ユニットにおいて、前記支柱は、その水平断面が円形状
を有し、前記植木鉢は、前記支柱を中心として自由にその方向を回転できることが好まし
い。                                                                            
【００１２】
また、この多段積層用の飾り鉢ユニットにおいて、前記植木鉢は、その底面側において
一定量の貯水ができる貯水部と、その側面において前記貯水部を超える量の水を下方に排
水するための排水口と、を備え、前記排水口の高さ位置は、前記筒状凸部の高さ位置より
低くなることが好ましい。                                                        
【００１３】
また、この多段積層用の飾り鉢ユニットにおいて、組み立てられた状態で前記支柱を貫
通する筒形状を有し、上段及び下段で隣り合う前記植木鉢の上下間隔を調整するため、前
記支柱の側面方向から取り付け可能なアタッチメント方式のスペーサをさらに備えること
が好ましい。                                                                    
【００１４】
また、この多段積層用の飾り鉢ユニットにおいて、前記植木鉢は、鉢状体を左右方向に
２分割した形状を有し、前記支柱の側面方向から取り付け可能なアタッチメント方式の植
木鉢となることが好ましい。                                                      
【発明の効果】
【００１５】
本発明に係る多段積層用の飾り鉢ユニットは、上下方向に伸長する支柱と、少なくとも
その底面において、支柱を貫通させるための貫通孔が形成された複数の植木鉢と、支柱を
貫通する筒形状を有し、植木鉢を所定の上下間隔をもって支柱に積層させるため、上段及
び下段で隣り合う植木鉢の間に配置されるスペーサとを備える。この構成により、本発明
は、広いスペースを要することなく数多くの植物を屋内などの様々な空間に配置でき、施
工性・作業性が良く、且つデザインの自由度・ディスプレイ性の高い新しいタイプの飾り
鉢ユニットとなる。                                                              
【図面の簡単な説明】
【００１６】
【図１】（ａ）本発明の実施の形態に係る多段積層用の飾り鉢ユニットの分解斜視図、（ｂ）同上飾り鉢ユニットの斜視図である。
【図２】（ａ）同上飾り鉢ユニットを構成する植木鉢の上面側の斜視図、（ｂ）同上植木鉢の底面側の斜視図である。
【図３】（ａ）同上植木鉢の上面図、（ｂ）同上植木鉢の底面図である。
【図４】（ａ）同上飾り鉢ユニットのＡ−Ａ線断面図、（ｂ）他の形状の多段積層用の飾り鉢ユニットの断面図である。
【図５】（ａ）及び（ｂ）同上多段積層用の飾り鉢ユニットの植栽手順例を示す参考図である。
【図６】同上多段積層用の飾り鉢ユニットの設置例を示す参考図である。
【図７】同上多段積層用の飾り鉢ユニットの別の設置例を示す参考図である。
【図８】同上多段積層用の飾り鉢ユニットの別の設置例を示す参考図である。
【図９】同上多段積層用の飾り鉢ユニットの別の設置例を示す参考図である。
【図１０】同上多段積層用の飾り鉢ユニットの別の設置例を示す参考図である。
【図１１】（ａ）同上実施の形態の変形例１に係る多段積層用の飾り鉢ユニットに用いるアタッチメント方式のスペーサの分解斜視図、（ｂ）同上アタッチメント方式のスペーサの斜視図である。
【図１２】（ａ）同上実施の形態の変形例２に係る多段積層用の飾り鉢ユニットを成す植木鉢の斜視図、（ｂ）当該植木鉢の上面図である。
【図１３】（ａ）及び（ｂ）変形例２に係る多段積層用の飾り鉢ユニットの植栽手順を示す参考図である。
【発明を実施するための形態】
【００１７】
（実施の形態）                                                                  
本発明の実施の形態に係る多段積層用の飾り鉢ユニットについて図面を参照して説明す
る。この多段積層用の飾り鉢ユニットは、複数の植木鉢を、上下方向に伸長する支柱を用
いて上下方向に、多段で積層するための装置であり、屋外のみでなく屋内など様々な空間
や場所に数多くの植物を飾ることができる。なお、ここでいう植物とは、花株に限定する
ものではなく、観葉植物、つる性植物のような植物全てを含めて総称している。        
【００１８】
最初に、図１を参照して、本実施の形態に係る多段積層用の飾り鉢ユニット１の構造に
関して説明する。多段積層用の飾り鉢ユニット１（以下、飾り鉢ユニット１と記載）は、
支柱２、植木鉢３及びスペーサ４を備え、図１（ａ）に示すように、植木鉢３及びスペー
サ４を支柱２に通すことで、支柱２と植木鉢３とスペーサ４とを一体化して用いる。    
【００１９】
支柱２は、図１に示すように、植木鉢３及びスペーサ４を上下方向に積層するための部
材であり、具体的には、上下方向に伸長する樹脂又は金属製のポールなどである。支柱２
は、床側から立設、天井からワイヤなどを用いて吊り下げ、若しくは安定性を高めるため
に床側及び天井の両方から固定されて垂直状に設けられる。支柱２の高さは、例えば３〜
７ｍであり、また、支柱２の長さによって１本化された単位を仮に１ｍとした場合には、
これを４回繋げば４ｍになり、用途、設置場所や植える植物の大きさに併せて自由にその
高さを変えられる。                                                              
【００２０】
支柱２は、円柱や円筒など水平断面で円形状を有することが好ましい。この場合、上下
段に隣り合う植木鉢３は、図１（ｂ）の矢印Ｙに示すように、垂直状に貫通している支柱
２を中心として自由にその方向を回転できる。これにより、植栽デザインがし易い上、後
々の生育管理下での光線の当たり具合、即ち、陽表や陽裏を容易に変えることができる。
【００２１】
植木鉢３は、図２及び図３に示すように、植物を設置するための鉢であり、例えば合成
樹脂製で逆円錐台型の鉢状体である。植木鉢３は、その底面において、支柱２に貫通させ
るための貫通孔３ａが形成されている。より具体的には、植木鉢３の底面には、図２（ａ
）に示すように、その上面に貫通孔３ａが形成されると共に、支柱２及びスペーサ４を通
すための中空を有した円筒形状の筒状凸部３ｂが形成される。                        
【００２２】
そして、筒状凸部３ｂには、中空に差し込まれるスペーサ４の一定以上の上方への侵入
を阻止するために水平方向に延出された係止部３ｃ（図４（ａ）においては段差部）が形
成されている。なお、スペーサ４の上方への侵入を阻止するための係止部３ｃはこの形状
に限定されるものではなく、例えば、図４（ｂ）に示すように、筒状凸部３ｂの内側面を
、上方になるに従って幅狭にしたような形状でもよい。また、係止部３ｃは必ずしも筒状
凸部３ｂの上面である必要性はなく、筒状凸部３ｂの高さ方向の中段位置に設けられても
良い。                                                                          
【００２３】
筒状凸部３ｂには、図４に示すように、上段側に配置されるスペーサ４の下面が載置さ
れ、この構成により、支柱２にスペーサ４を介して複数の植木鉢３を多段に積層しながら
同時に、支柱２を中心として植木鉢３の方向を自由に回転させることができる。        
【００２４】
植木鉢３は、図２及び図３に示すように、その底面側に一定量の貯水ができる貯水部３
ｄと、その側面において貯水部３ｄを超える量の水を下部へ排水するための穴部たる排水
口３ｅとを備える。また、排水口３ｅの高さ位置は、図４（ａ）に示すように、筒状凸部
３ｂの上面の高さ位置より低くなる。この構成により、上下方向で一本化された植木鉢３
を、最上段で潅水すればオーバーフローした水が排水口３ｅを介して最下段の植木鉢３ま
で滴下するので、潅水が極めて簡単で、且つ鉢底部の貯水部３ｄの水があるために給水管
理が極めて容易である。また、給水用の水が四方に飛び散ることもない。さらに、水が支
柱２の方から下方に流れることがなくなる。                                        
【００２５】
植木鉢３には、屋内緑化においては、植物の根部を、例えば厚さ１〜２ｃｍ程度のスポ
ンジ状ウレタンフォーム、ロックウールなど保水性及び透水性を有する通水性素材で包ん
だ植物を載置できる。この構成により、飾り鉢ユニット１の全体を軽量化でき、培養土か
ら生じるカビ臭さがなく、培養土が屋内の空間に漂流することもなくなる。            
【００２６】
即ち、飾り鉢ユニット１に栽培する植物、又は置く場所・用途によって植栽の仕方は変
わる。例えば、ベランダなどの屋外又は半屋外でイチゴやハーブ、野菜など育てる場合は
植木鉢３に培養土を充填して植物を育てるのが適している。一方、マンションの部屋内な
どで観葉植物を飾るときは土を使わず、スポンジで根部を巻いたものを植木鉢３内に載置
し、軽石などで固定するのもいい。この場合には、病院など衛生面に配慮しなければなら
ない場所でも数多くの植物を取り入れることができるという利点がある。また、商業施設
や一時的なイベントなどでの飾り鉢ユニット１を使用する場合、農家などで根部をスポン
ジ・不織布などで巻いて生育させた植物を搬入し、各植木鉢３に載置するのみで立派なデ
ィスプレイが即席で完成でき、作業時間が際立って短いものとなる。                  
【００２７】
植木鉢３の直径は、例えば２０〜５０ｃｍなどと様々であり、その容量も様々であり、
設置場所や植える植物の大きさに併せて選択できる。また、図２などに示すように、植物
を載置するために植木鉢３の上縁に複数の凹部を設けても良い。                      
【００２８】
スペーサ４は、図１に示すように、支柱２を貫通する筒形状を有し、植木鉢３を所定の
上下間隔をもって支柱２に積層させるため、上段及び下段で隣り合う植木鉢３の間に配置
される。なお、当該所定の上下間隔とは一定間隔でも良いし、植木鉢３や植物の大きさに
併せて適宜変更しても良い。スペーサ４は、例えば樹脂製のポリエチレンや塩化ビニルで
形成され、植木鉢３に形成された筒状凸部３ｂの中空に下方から差し込まれ、植木鉢３か
ら脱着可能である。                                                              
【００２９】
スペーサ４の高さは、例えば１５ｃｍであり、設置場所や植える植物の大きさに併せて
変えられる。なお、スペーサ４の構造は様々であり、円筒形状以外にも支柱２を貫通する
形状を有し、植木鉢３を所定の上下間隔をもって支柱２に貫通できる構造であれば良い。
【００３０】
そして、このような構造の飾り鉢ユニット１を用いれば、数多くの植物を室内に取り入
れるにしても、広いスペースを使う必要がなく、効果的な空間利用ができ、現在の住宅事
情に適しているという効果を奏する。また、上下方向の空間を利用するため、幼い子供の
いる家庭でも安全に管理・鑑賞でき、屋内環境の緑化が進んで環境改善に繋がる。      
【００３１】
次に、多段積層用の飾り鉢ユニット１の植込方法に関して図５を参照して説明する。最
初に、図５（ａ）に示すように、上下方向に伸長する支柱２にスペーサ４及び植木鉢３を
この順番で通して一体化しておき、植物を植える植木鉢３より上部の植木鉢３を持ち上げ
ておき、空間を大きくして植物を植え込む。次に、図５（ｂ）に示すように、植え終わっ
た植木鉢３の上段の植木鉢３及びスペーサ４を下方に下げ、下段のスペーサ４の上部を上
段の植木鉢３の鉢尻である筒状凸部３ｂの中空に差し込み、２段目の植木鉢３に植物を植
え込む。そして、これらの手順の繰り返しで、飾り鉢ユニット１の上段にある植木鉢３ま
で植え込む。この植込方法によって、飾り鉢ユニット１を用いて即席に、植物の存在感の
ある立体的な景観を創出できる。また、根部を通水性素材で包んだ植物を植木鉢３に載置
しても良い。なお、図５に示す場合には、最下段の植木鉢３は固定金具５を用いて支柱２
に係止されている。                                                              
【００３２】
次に、多段積層用の飾り鉢ユニット１の具体的な設置例に関して図６〜１０を参照して
説明する。これら図面により、飾り鉢ユニット１を利用することにより「花や緑と人の生
活」に色々な新しい提案が可能となることが理解できる。                            
【００３３】
図６において、飾り鉢ユニット１は、上下方向に立設された１本の支柱２を用いており
、例えば道路脇などに複数並設される。                                            
【００３４】
図７において、飾り鉢ユニット１は、高さ３〜７ｍ位の大型であり、支柱２を立設して
上部で転倒防止の構造を施して安定化することで高くでき、屋内などの大空間をディスプ
レイしている。これらの飾り鉢ユニット１は、商業施設や来たる東京オリンピックなどイ
ベントの際のエントランスや会場の装飾として使われるが、いずれも花や緑を修景の材料
として色々な形にデザインできる。                                                
【００３５】
図８において、飾り鉢ユニット１の支柱２は、天井からワイヤを用いて吊り下げられる
。そして、飾り鉢ユニット１の植木鉢３には、直径（大きさ）の違う数種類が用いられ、
「グリーンシャンデリア」のように、屋内空間を緑に囲まれた特別な空間に彩ることがで
き、今までに例のないようなディスプレイ性の高い屋内用花飾りを実現できる。        
【００３６】
図９において、飾り鉢ユニット１は、高さ２〜３ｍ前後であり、通常のオフィスや住居
などで使うことを想定したものである。この飾り鉢ユニット１は、下方にプランタ６を配
置し、天井には照明ボックス７を配置して、支柱２をプランタ６側と天井の照明ボックス
７側とで固定して安定化させ、この支柱２に植木鉢３を積層する。この場合、飾り鉢ユニ
ット１に使用される花や緑は図７や図８に示すような修景のみの目的ではなく、「植物の
持つ様々な効用」をも重視している。即ち、オフィスや住居などにこのような飾り鉢ユニ
ット１を用いて花と緑が多く取り入れられることにより、空気の浄化、保湿効果、目の疲
れに良いなどの様々な効果がある。また、メンタルな部分とか作業効率が上がるなどの多
くの間接的効果も既に研究発表されている。さらに、図９に示す飾り鉢ユニット１は、３
６０度どの方向からも鑑賞でき、ディスプレイ効果が高く、配列してオフィスや生活空間
に設置した場合、「緑のスクリーン」のように使用できる。さらに、飾り鉢ユニット１を
、同出願人の壁面緑化システムである壁面花壇構造体（特許第５２２３０２５号）と組み
合わせることにより、より効果的に屋内を花緑で装飾できる。                        
【００３７】
図１０において、飾り鉢ユニット１は、高さ１ｍ前後の小型商品の例であり、住宅の居
間や出窓などでの使用が望まれる。近年、マンションなど高層共同住宅で生活する人は生
活に沢山の花や緑を取り入れることは難しい状況であるが、このような飾り鉢ユニット１
を利用すれば、出窓などの僅かな空間でもかなり沢山の花緑を効果的に取り入れられ、空
気の浄化保湿効果など、更に寝室ではリラックス、安眠効果、子供部屋では勉強の効率ア
ップなどが期待できる。                                                          
【００３８】
なお、植物の持つ様々な効果は、例えば「自分でできるおいしい空気の作り方 TED.com
カマール・メトル」やアメリカＮＡＳＡを始め、日本でも多くの大学で研究され多くの効
用が数値をあげて発表されている。しかしながら、それらに関しては、効果的に生活に取
り入れる具体的な手法や装置は未だ提案されておらず、特に高層共同住宅で生活する多く
の人にとって、本願に係る飾り鉢ユニット１が提案開発されることは大きな意味がある。
また、植物のもつ様々な効用を前面にした本願の飾り鉢ユニット１に対する考え方は植物
の新しい価値観に繋がるものである。                                              
【００３９】
さらには、飾り鉢ユニット１を用いて高層共同住宅生活者のみでなく、冬の長い（１０
〜５月末の８カ月）ヨーロッパ、高冷地で生活する人々、又は夏に５０度近くになる中近
東の人々にとっても屋内で花緑を効率的に取り入れられることはとても意義深いことであ
る。そして、上述のように本願の飾り鉢ユニット１はそれを実現可能にしている。      
【００４０】
以上のように、本実施の形態に係る多段積層用の飾り鉢ユニット１は、上下方向に伸長
する支柱２と、少なくともその底面において、支柱２に貫通させるための貫通孔３ａが形
成された複数の植木鉢３と、支柱２を貫通する筒形状を有し、植木鉢３を所定の上下間隔
をもって支柱２に積層させるため、上段及び下段で隣り合う植木鉢３の間に配置されるス
ペーサ４とを備える。そして、植木鉢３及びスペーサ４を支柱２に通すことで、支柱２と
植木鉢３とスペーサ４とを一体化して用いる。                                      
【００４１】
この構成により、飾り鉢ユニット１は、広いスペースを要することなく数多くの植物を
屋内などの様々な空間に配置でき、施工性・作業性が良く、且つデザインの自由度・ディ
スプレイ性の高い新しいタイプの花飾りを実現できる。                              
【００４２】
具体的には、飾り鉢ユニット１を成す支柱２、植木鉢３及びスペーサ４は軽量であり、
持ち運び易く、組み立てが容易であるために施工性・作業性が良い。また、飾り鉢ユニッ
ト１を立設、又は天井面から吊り下げることで、屋内空間の有効利用を図り、屋内空間な
どの限られたスペースでも数多くの植物を栽培することができる。                    
【００４３】
また、植木鉢３は、貯水部３ｄと排水口３ｅとを有し、飾り鉢ユニット１の最上部から
給水するだけで効率的に全ての植木鉢３に給水でき、潅水管理が非常に容易である。    
【００４４】
さらに、飾り鉢ユニット１は、根部を通水性素材で包んだ植物を順次、植木鉢３に載置
することで、即席に、立体的な植物の存在感のある景観を創出できる。即ち、飾り鉢ユニ
ット１に用いる植物を予め契約農家などで養生しておくことで、生育速度の穏やかな植物
（樹木など）の育つ期間を待つ必要がない。また、多量の土を使用しないため、長期間の
使用後においても屋内がカビ臭くなることがない。                                  
【００４５】
またさらに、飾り鉢ユニット１は、各設置場所のデザインニーズに合わせた装飾ができ
、レイアウト変更性・ディスプレイ性に極めて優れたものとなり、緑化を楽しむことがで
きる。また、枯死した植物の入れ替えも、植木鉢３に載置された植物を交換するのみで対
応でき、極めて容易である。                                                      
【００４６】
（変形例１）                                                                    
本実施の形態の変形例１について、図１１を参照して説明する。本変形例１に係る飾り
鉢ユニット１において、スペーサ８は、上段及び下段で隣り合う植木鉢３の上下間隔を調
整するため、支柱２の側面方向から取り付け可能なアタッチメント方式のスペーサ８とな
る。具体的には、スペーサ８は、図１１（ａ）に示すように左右２分割されており、図１
１（ｂ）に示すように嵌合（いかなる嵌合、係合、接合、接着形態でもよい）して一体化
するものであり、組み立てられた状態で支柱２を貫通する筒形状を有する。            
【００４７】
この構成により、上記実施の形態の効果に加えて、アタッチメント方式のスペーサ８を
使用することで、上段及び下段で隣り合う植木鉢３の間隔を、植物の大きさ・種類、植木
鉢の大きさに併せて容易に調整可能となる。また、アタッチメント方式のスペーサ８であ
るために、既に支柱２に貫通させてある植木鉢３やスペーサ４をわざわざ挿し抜く手間が
なく作業性が良い。                                                              
【００４８】
（変形例２）                                                                    
本実施の形態の変形例２について、図１２及び図１３を参照して説明する。本変形例２
に係る飾り鉢ユニットの植木鉢１１は、支柱２の上方から貫通するのではなく、支柱２の
側面方向から取り付け可能なアタッチメント方式となる植木鉢１１となる。            
【００４９】
植木鉢１１は、図１２（ａ）に示すように、例えば逆円錐台型の鉢状体を左右方向に２
分割した形状を有し、２個の植木鉢１１の側方の開口面が対向する方向で組み立てられた
状態で支柱２を貫通する。植木鉢１１の側方の開口面側には、一定量の水を貯水するため
に底面から所定高さにまで立設された立設面１１ａ、及びボルト・ナット用の複数の穴部
１１ｂを有して外方に延出した外リブ１１ｃが形成されている。また、植木鉢１１は、そ
の側面において貯水部を超える量の水を下部に排水するための排水口１１ｄを備える。な
お、外リブ１１ｃの穴部１１ｂを介してボルト・ナットを用いて２つの植木鉢１１を結合
することは例示であり、他の形状で結合してもよい。                                
【００５０】
次に、本変形例２に係る飾り鉢ユニット１０への植物の植込方法に関して図１３を参照
して説明する。最初に、図１３（ａ）に示すように、上下方向に伸長する支柱２に対して
、スペーサ４（アタッチメント方式でもよい）、及び２つの植木鉢１１を側面方向からボ
ルト・ナットを穴部１１ｂに通して取り付け、その後に植木鉢１１に植物を植え込む。次
に、図１３（ｂ）に示すように、植え終わった植木鉢３の上段の植木鉢１１及びスペーサ
４を支柱２の側面方向からボルト・ナットを用いて取り付ける。その後、図１３（ｃ）に
示すように、下段のスペーサ４の上部を上段の植木鉢１１の筒状凸部３ｂの中空に差し込
み、２段目の植木鉢１１に植物を植え込む。そして、これらの手順の繰り返しで、最上段
にある植木鉢１１まで植物を植え込む。                                            
【００５１】
この構成により、本変形例２では、上記実施の形態１の効果に加えて、例えば高さが７
ｍ程度あるような大型の飾り鉢ユニット１０を用いても、支柱２の最上段から植木鉢１１
及びスペーサ４を支柱２に貫通させる作業が不要となり、作業性を向上できる。また、即
席に、植物の存在感のある立体的な景観を創出できる。                              
【００５２】
なお、本発明は、上記実施の形態の構成に限られず、発明の趣旨を変更しない範囲で種
々の変形が可能である。例えば、スペーサの形状は、上下方向に伸縮可能な構造など、支
柱２に取り付け可能であり、且つ上段及び下段で隣り合う植木鉢３の間隔を調整すること
ができればよい。                                                                
【符号の説明】
【００５３】
１，１０  飾り鉢ユニット                                                      
２  支柱                                                                      
３，１１  植木鉢                                                              
３ａ  貫通孔                                                                  
３ｂ  筒状凸部                                                                
３ｃ  係止部                                                                  
３ｄ  貯水部                                                                  
３ｅ，１１ｄ  排水口                                                          
４  スペーサ                                                                  
５  固定金具                                                                  
８  アタッチメント方式のスペーサ                                              
１１ａ  立設面                                                                
１１ｂ  穴部                                                                  
１１ｃ  外リブ                                                                
【要約】      （修正有）【課題】広いスペースを要することなく数多くの植物を屋内などの様々な空間に配置でき、施工性・作業性が良く、且つデザインの自由度・ディスプレイ性の高い多段積層用の飾り鉢ユニットを提供する。【解決手段】多段積層用の飾り鉢ユニット１は、上下方向に伸長する支柱２と、少なくともその底面において、支柱２に貫通させるための貫通孔が形成された複数の植木鉢３と、支柱２を貫通する筒形状を有し、植木鉢３を所定の上下間隔をもって支柱２に積層させるため、上段及び下段で隣り合う植木鉢３の間に配置されるスペーサ４とを備える。そして、植木鉢３及びスペーサ４を支柱２に通すことで、支柱２と植木鉢３とスペーサ４とを一体化して用いる。この構成により、広いスペースを要することなく数多くの植物を屋内などの様々な空間に配置でき、施工性・作業性が良く、且つデザインの自由度・ディスプレイ性の高い多段積層用の飾り鉢ユニット１となる。【選択図】図１【図１】
0006025279.tif 000002
【図２】
0006025279.tif 000003
【図３】
0006025279.tif 000004
【図４】
0006025279.tif 000005
【図５】
0006025279.tif 000006
【図１１】
0006025279.tif 000007
【図１２】
0006025279.tif 000008
【図１３】
0006025279.tif 000009
【図６】
0006025279.tif 000010
【図７】
0006025279.tif 000011
【図８】
0006025279.tif 000012
【図９】
0006025279.tif 000013
【図１０】
0006025279.tif 000014